【手続補正書】
【提出日】平成28年2月9日(2016.2.9)
【手続補正１】
【補正対象書類名】特許請求の範囲
【補正対象項目名】全文
【補正方法】変更
【補正の内容】
【特許請求の範囲】
【請求項１】
基板表面上に形成されたマイクロセンサと、
前記基板表面上に形成された試薬堆積部位であって、この試薬堆積部位が、試薬堆積のサイズおよび場所を制御するように機能するものである、試薬堆積部位と
を備える流体試験ストリップであって、
前記堆積部位は、表面材料の存在しない部分によって環状に囲まれる中央の島部を含み、前記試薬堆積部位は、前記マイクロセンサに隣接して形成される、流体試験ストリップ。
【請求項２】
前記試薬堆積部位が、前記マイクロセンサの操作に有益な所定の形状に形成される、請求項１に記載の流体試験ストリップ。
【請求項３】
前記所定の形状が、前記マイクロセンサの少なくとも一部分を取り囲むように機能する形状を含む、請求項２に記載の流体試験ストリップ。
【請求項４】
前記マイクロセンサが、マイクロカンチレバーを備え、前記所定の形状は、前記マイクロカンチレバーの感応性端部を取り囲む部分を含む、請求項２に記載の流体試験ストリップ。
【請求項５】
少なくとも１つのフェンスをさらに含み、フェンスが、表面材料の存在しない部分を環状に囲む前記表面材料の部分を含む、請求項１から４のいずれか１項に記載の流体試験ストリップ。
【請求項６】
前記少なくとも１つのフェンスが、それぞれが１〜３の範囲で番号付けされた複数のモートおよびフェンスを含む、請求項５に記載の流体試験ストリップ。
【請求項７】
前記マイクロセンサが、被試験流体における変化を、前記被試験流体と前記堆積部位内に堆積された１つまたは複数の試薬との間の反応の結果として検出するように機能する少なくとも１つのマイクロカンチレバーベースセンサである、請求項１から６のいずれか１項に記載の流体試験ストリップ。
【請求項８】
任意のモートおよび／またはフェンスが、総堆積エリアの最大４０％を含む、請求項６に記載の流体試験ストリップ。
【請求項９】
前記堆積部位が、
前記表面材料の接触角度、
堆積される試薬流体の容積、
前記表面材料の親水性、
前記表面材料の疎水性、
前記表面材料の表面エネルギー、
前記表面材料の表面処理
の１つまたは複数に応じて形成される、請求項１から８のいずれか１項に記載の流体試験ストリップ。
【請求項１０】
流体試験ストリップを形成する方法であって、
基板表面上にマイクロセンサを形成する工程と、
前記基板表面上に、試薬堆積部位を形成する工程であって、前記試薬堆積部位が、試薬堆積のサイズおよび場所を制御するように機能する、工程とを含み、
前記試薬堆積部位を形成する工程は、表面材料の存在しない部分によって環状に囲まれる中央の島部を備えるように前記堆積部位を形成する工程をさらに含み、
前記方法は、前記マイクロセンサに隣接して前記試薬堆積部位を形成する工程をさらに含む、方法。 
【手続補正２】
【補正対象書類名】明細書
【補正対象項目名】００７９
【補正方法】変更
【補正の内容】
【００７９】
矛盾していると別途述べられない限りまたは物理学または実施形態の他のものがこうした組合せを妨げない限り、添付特許請求の範囲の特徴は、任意の適したまた有益な配置で共に統合されうる。すなわち、特徴の組合せは、挙げられる特定の請求項の形態、特に、従属請求項の形態によって制限されない。
以下に、本願（特願２０１４−５５７１１９号）の出願当初の特許請求の範囲を示す。
[請求項１]
基板表面上に形成されたマイクロセンサと、
前記基板表面上に形成された試薬堆積部位であって、この試薬堆積部位が、試薬堆積のサイズおよび場所を制御するように機能するものである、試薬堆積部位と
を備える流体試験ストリップ。
[請求項２]
前記堆積部位が、表面材料の存在しない部分によって環状に囲まれる中央の島部を含む、請求項１に記載の流体試験ストリップ。
[請求項３]
前記試薬堆積部位が、前記マイクロセンサに隣接して形成される、請求項１または２に記載の流体試験ストリップ。
[請求項４]
前記試薬堆積部位が、前記マイクロセンサの操作に有益な所定の形状に形成される、請求項１から３のいずれか１項に記載の流体試験ストリップ。
[請求項５]
前記所定の形状が、前記マイクロセンサの少なくとも一部分を取り囲むように機能する形状を含む、請求項４に記載の流体試験ストリップ。
[請求項６]
前記マイクロセンサが、マイクロカンチレバーを備え、前記所定の形状は、前記マイクロカンチレバーの感応性端部を取り囲む部分を含む、請求項４または５に記載の流体試験ストリップ。
[請求項７]
表面材料の存在しない部分が、モートを含む、請求項１から６のいずれか１項に記載の流体試験ストリップ。
[請求項８]
少なくとも１つのフェンスをさらに含み、フェンスが、表面材料の存在しない部分を環状に囲む前記表面材料の部分を含む、請求項１から７のいずれか１項に記載の流体試験ストリップ。
[請求項９]
前記少なくとも１つのフェンスが、それぞれが１〜３の範囲で番号付けされた複数のモートおよびフェンスを含む、請求項８に記載の流体試験ストリップ。
[請求項１０]
前記少なくとも１つのモートが、１つと３つの間のモートを含み、前記少なくとも１つのフェンスが、１つと３つの間のフェンスを含む、請求項２に記載の流体試験ストリップ。
[請求項１１]
前記マイクロセンサが、被試験流体における変化を、前記被試験流体と前記堆積部位内に堆積された１つまたは複数の試薬との間の反応の結果として検出するように機能する少なくとも１つのマイクロカンチレバーベースセンサである、請求項１から１０のいずれか１項に記載の流体試験ストリップ。
[請求項１２]
前記試薬堆積部位が、固定エリアを含む、請求項１から１１のいずれか１項に記載の流体試験ストリップ。
[請求項１３]
任意のモートおよび／またはフェンスが、総堆積エリアの最大４０％を含む、請求項１２に記載の流体試験ストリップ。
[請求項１４]
前記堆積部位が、
前記表面材料の接触角度、
堆積される試薬流体の容積、
前記表面材料の親水性、
前記表面材料の疎水性、
前記表面材料の表面エネルギー、
前記表面材料の表面処理
の１つまたは複数に応じて形成される、請求項１から１３のいずれか１項に記載の流体試験ストリップ。
[請求項１５]
１つまたは複数のマイクロセンサの近傍内に複数の堆積部位をさらに備える、請求項１から１４のいずれか１項に記載の流体試験ストリップ。
[請求項１６]
流体試験ストリップを形成する方法であって、
基板表面上にマイクロセンサを形成する工程と、
前記基板表面上に、試薬堆積部位を形成する工程であって、前記試薬堆積部位が、試薬堆積のサイズおよび場所を制御するように機能する、工程とを含む、方法。
[請求項１７]
表面材料の存在しない部分によって環状に囲まれる中央の島部を備えるように前記堆積部位を形成する工程をさらに含む、請求項１６に記載の方法。
[請求項１８]
前記マイクロセンサに隣接して前記試薬堆積部位を形成する工程をさらに含む、請求項１６または１７に記載の方法。
[請求項１９]
特定の試験に対する前記マイクロセンサの応答に有利な所定の形状に前記試薬堆積部位を形成する工程をさらに含む、請求項１６から１８のいずれか１項に記載の方法。
[請求項２０]
前記所定の形状が、前記マイクロセンサの少なくとも一部分を取り囲むように機能する形状を含む、請求項１９に記載の方法。
[請求項２１]
前記マイクロセンサが、マイクロカンチレバーを備え、前記所定の形状が、前記マイクロカンチレバーの感応性端部を取り囲む部分を備える、請求項１９または２０に記載の方法。
[請求項２２]
表面材料の存在しない部分が、モートを含む、請求項１６から２１のいずれか１項に記載の方法。
[請求項２３]
少なくとも１つのフェンスを形成する工程をさらに含み、フェンスが、表面材料の存在しない部分を環状に囲む前記表面材料の部分を含む、請求項１６から２２のいずれか１項に記載の方法。
[請求項２４]
前記少なくとも１つのフェンスが、それぞれが１〜３の範囲で番号付けされた複数のモートおよびフェンスを含む、請求項２３に記載の方法。
[請求項２５]
前記少なくとも１つのモートが、１つと３つとの間のモートを含み、前記少なくとも１つのフェンスが、１つと３つとの間のフェンスを含む、請求項１６に記載の方法。
[請求項２６]
前記マイクロセンサが、被試験流体における変化を、前記被試験流体と、前記堆積部位上に堆積され、前記堆積部位内に含まれる１つまたは複数の試薬との間の反応の結果として検出するように機能する少なくとも１つのマイクロカンチレバーベースセンサである、請求項１６から２５のいずれか１項に記載の方法。
[請求項２７]
前記試薬堆積部位が、固定エリアを含む、請求項１６から２６のいずれか１項に記載の方法。
[請求項２８]
任意のモートおよび／またはフェンスの総エリアが、総堆積エリアの１０％と４０％との間である、請求項２６に記載の方法。
[請求項２９]
前記堆積部位が、
前記表面材料の接触角度、
堆積される試薬流体の容積、
前記表面材料の親水性、
前記表面材料の疎水性、
前記表面材料の表面エネルギー、
前記表面材料の表面処理
の１つまたは複数に応じて形成される、先行する請求項に記載の流体試験ストリップ。
[請求項３０]
請求項１６から２８のいずれか１項に記載の方法を実施するように構成される試験ストリップ製造装置。
[請求項３１]
プロセッサによって実行されたとき、請求項１６から２８のいずれか１項に記載の方法を前記プロセッサに実施させる命令を含む、コンピュータ可読媒体。